【手続補正書】
【提出日】平成29年5月19日(2017.5.19)
【手続補正１】
【補正対象書類名】明細書
【補正対象項目名】００２３
【補正方法】変更
【補正の内容】
【００２３】
カバー部材１３０の基体部１３３は、第１端１４１と、第１端１４１とは水平方向において相対する方向に位置する第２端１５１とを有している。
より具体的には、本実施形態のカバー部材１３０は、一方向に長い４つの基体部１３３によって、平面視略正方形状の枠状に形成されたものとなっていて、各基体部１３３が枠状のカバー部材１３０の一辺をなす構成となっている。そして、各基体部１３３の幅方向の一方である第１端１４１が枠の外周側に位置すると共に、幅方向の他方である第２端１５１が枠の内周側に位置する構成となっている。
なお、基体部１３３の第２端１５１の端縁（カバー部材１３０の内周縁）と、第１端１４１の端縁（カバー部材１３０の外周縁）における第２端１５１の端縁と対応する部分とはほぼ平行な方向に延びている。
また、隣接する基体部１３３、１３３における外周側（第１端１４１側）は、平面視において緩やかに湾曲した状態で一体に連結されていて、カバー部材１３０全体としては、四隅が緩やかに湾曲するように面取りされた態様となっている。これにより、犬等のペットが、どの位置からでもできるだけ容易にカバー部材１３０に脚を踏み入れられるようにしている。
【手続補正２】
【補正対象書類名】明細書
【補正対象項目名】００３２
【補正方法】変更
【補正の内容】
【００３２】
第２滑り止め部材１８１は、第２端１５１の端縁部１５２に沿って、基体部１３３の長さ方向に延び、且つ予め定めた大きさの幅及び厚さを有する平面視矩形状の板体状に形成されている。なお、この実施の形態においては、カバー部材１３０の第２端１５１の端縁部１５２は、連続的な構成であるが、非連続的な端縁部又は部分的な構成でもよく、本発明における「第２端の端縁部に沿って延びる」構成とは、第２滑り止め部材が第２端の連続的な端縁部に沿って延びる構成のみならず、第２滑り止め部材が第２端の非連続的な端縁部又は部分的な端縁部に沿って延びる構成をも含むことを意味する。なお、この実施の形態においては、この第２滑り止め部材１８１は、カバー部材１３０をトイレシート１２０上に置いた際に、下面１８２がほぼ水平となるように、基体部１３３の下面に位置不動に固定されている。
さらに、第２滑り止め部材１８１の長さは、基体部１３３の第２端１５１の端縁部１５２（即ち、カバー部材１３０の内周縁の一辺）とほぼ同じ長さとなっている。
この構成によって、第２滑り止め部材１８１の下面１８２が、トイレシート１２０に面接触して、トイレシート１２０とカバー部材１３０の間のずれを防止することが可能となっている。
さらに、第２滑り止め部材１８１の下面１８２がトイレシート１２０に面接触することにより、この下面１８２とトイレシート１２０との間の隙間が塞がれるため、仮にペットの尿がトイレシート１２０のトップシート１２１上を伝って、第２端１５１の端縁部１５２からカバー部材１３０の底部１３２側に流入してきた場合には、この第２滑り止め部材１８１がその尿の流れを塞き止めることができるようになっている。これにより、第２滑り止め部材１８１に塞き止められた尿を、トイレシート１２０の外縁にあるフラップ部１２４まで到達させることなく、トップシート１２１を通して吸収体１２３に吸収させて、尿が底部１３２を通じてトイレシート１２０外に流出することを安定的に防止することが可能となっている。
【手続補正３】
【補正対象書類名】明細書
【補正対象項目名】００３３
【補正方法】変更
【補正の内容】
【００３３】
ここで、第２滑り止め部材１８１は、第２端１５１の端縁部１５２から第１端１４１の方向に離間した位置に配設されている。即ち、第２滑り止め部材１８１における、基体部１３３の第２端１５１側の長手部分と、第２端１５１の端縁部１５２との間は、予め定めた距離だけ離れた態様となっている。
また、このとき、基体部１３３が、前述のように第２端側に行くにしたがって下方に傾斜しているため、第２滑り止め部材１８１と第２端１５１の端縁部１５２との間の空間１５４の高さは、第２端１５１の端縁部１５２の位置よりも高くなっている。したがって、カバー部材１３０をトイレシート１２０上に置いた状態においては、第２端１５１の端縁部１５２とトイレシート１２０のトップシート１２１との間の隙間に比べて、第２滑り止め部材１８１と第２端１５１の端縁部１５２とトップシート１２１で囲まれた空間は大きくなっている。
【手続補正４】
【補正対象書類名】明細書
【補正対象項目名】００３４
【補正方法】変更
【補正の内容】
【００３４】
これにより、仮にペットの尿が、トイレシート１２０のトップシート１２１上を伝って第２端１５１の端縁部１５２から底部１３２側に流入した場合であっても、この第２滑り止め部材１８１における基体部１３３の第２端１５１側の長手部分と、第２端１５１の端縁部１５２との間には距離があるため、第２滑り止め部材１８１に衝突する尿の流れの勢いが弱まり、第２滑り止め部材１８１による尿の塞き止めを安定的に行うことが可能となる。さらに、第２滑り止め部材１８１と第２端１５１の端縁部１５２とトップシート１２１で囲まれた空間１５４は、第２端１５１の端縁部１５２とトイレシート１２０のトップシート１２１との間の隙間に比べて大きく、空間的な広がりが確保されているため、勢いよく流入してきた尿の流れを拡散させて、その勢いを弱めることができる。したがって、第２滑り止め部材１８１による尿の塞き止めをより一層安定的に行うことができる。
【手続補正５】
【補正対象書類名】明細書
【補正対象項目名】００３７
【補正方法】変更
【補正の内容】
【００３７】
中間領域１６３は、トイレシート１２０の上面に少なくとも一部を接触させるための下面１６５を有する、複数の前述のリブ１６４が設けられている。
このリブ１６４は、基体部１３３の第１端１４１から第２端１５１に向けて延びていて、特に、下面１６５の大部分は、略水平方向に延びている。また、この実施の形態においては、リブ１６４は、その上端が基体部１３３の下面に位置不動に固定されていて、その基体部１３３の下面から下方に向けて突設された態様となっている。この実施の形態においては、リブ１６４は、カバー部材１３０における枠の一辺に相当する各基体部１３３の長さ方向に一定の間隔で複数（この実施の形態の場合は５つ）配設されている。
さらに、同一の基体部１３３に形成されているリブ１６４は、相互に平行となるように配設され、カバー部材１３０の四隅にあたる部分については、隣接する他のリブ１６４に対して平面視において４５°程度の角度をつけた状態で１つのリブ１６４を設けた態様となっている。なお、本実施形態では、正方形の枠状のカバー部材１３０の各辺に５つずつ設けているが、他の任意の数のリブ１６４を設けてもよい。
【手続補正６】
【補正対象書類名】明細書
【補正対象項目名】００３８
【補正方法】変更
【補正の内容】
【００３８】
そして、トイレシート１２０の一部を覆った状態でカバー部材１３０を押さえるように置いた際に、図５に示すように、リブ１６４の下面１６５が、トイレシート１２０のトップシート１２１上における吸収体１２３の外周縁に相当する部分やフラップ１２４の近傍に当接して、トイレシート１２０を押さえるようになっている。
また、リブ１６４の下面１６５の鉛直方向高さは、第１滑り止め部材１７１の下面１７２の鉛直方向高さよりも高く、且つ第２滑り止め部材１８１の下面１８２の鉛直方向高さよりも低くなっている。これにより、カバー部材１３０の第１端１４１から第２端１５１に向かう方向の強度を確保することはもちろんのこと、リブ１６４によってトイレシート１２０、特にフラップ部１２４を確実に押さえることができるため、カバー部材１３０のトイレシート１２０に対するずれをより安定的に防止することができる。
【手続補正７】
【補正対象書類名】明細書
【補正対象項目名】００３９
【補正方法】変更
【補正の内容】
【００３９】
ここで、リブ１６４は、第２端側領域１５３と隣り合う位置に、上方に凸となるように湾曲した曲面状に形成された凹部１６６を有している。
この凹部１６６は、リブ１６４の下面１６５から、この下面１６５よりも上方に位置する基体部１３３の下面にかけて、凹状に連続的に湾曲する曲面を形成していて、凹部１６６の上方部分は、トイレシート１２０のトップシート１２１における吸収体１２３の外周縁部分と重なる位置に当接して押圧し、凹部１６６の下方部分は、トイレシート１２０のフラップ部１２４に当接して押圧することができるようになっている。即ち、この凹部は、トイレシート１２０において、吸収体１２３の存在によって生じるトップシート１２１の段差部分に当接して、リブ１６４全体としてその段差に関わらずトイレシート１２０を安定的に押さえることを可能としている。
したがって、ペットがトイレシート１２０上で勢いよく走った場合など、トイレシート１２０がカバー部材１３０に向けて移動しようとした時に、吸収体１２３の存在によって生じるトップシート１２１の段差部分を押さえて、カバー部材１３０とトイレシート１２０との間のずれを防止することができる。特に、この実施の形態の場合、カバー部材１３０が平面視正方形状の枠状に形成されたものであることから、相対する位置に配設された基体部１３３，１３３におけるリブ１６４の凹部１６６は、湾曲する方向（凸となる方向）が相反する方向となる。したがって、ペットの動きによって、仮にカバー部材１３０が一方の基体部１３３の方向に移動する力が作用したとしても、その方向と反対側に位置する基体部１３３のリブ１６４の凹部１６６の曲面が、トイレシート１２０のトップシート１２１の段差部分に引っ掛かり、カバー部材１３０の移動を抑止するため、トイレシート１２０を一層安定的に押さえることができる。
【手続補正８】
【補正対象書類名】明細書
【補正対象項目名】００４０
【補正方法】変更
【補正の内容】
【００４０】
ところで、このカバー部材１３０の底部１３２については、第２端１５１の下面の鉛直方向高さは、第２滑り止め部材１８１の下面１８２の鉛直方向高さよりも高くなっている。そして、第２滑り止め部材１８１の下面１８２の鉛直方向高さが、リブ１６４の下面及び第１端１４１の下面の鉛直方向高さよりも高く、リブ１６４の下面１６５及び第１端１４１の下面の鉛直方向高さが、第１滑り止め部材１７１の下面１７２の鉛直方向高さよりも高くなっている。
これにより、このカバー部材１３０の底部１３２は、トイレシート１２０の上面の形状（より具体的には、吸収体の平面視形状やトイレシート１２０の外周縁の形状に伴う凹凸）に応じて各部分の突出具合が調整されているため、底部１３２の各部分の機能が安定的に発揮される。即ち、第１滑り止め部材１７１の床面１１１との間のずれ防止の滑り止めの機能、第２滑り止め部材１８１のトイレシート１２０との間の滑り止め機能及び尿の塞き止め機能、床面１１１との間でトイレシート１２０のトップシート１２１を押さえる機能、及びリブ１６４が床面１１１との間でトイレシート１２０を押さえる機能を確保することができる。
【手続補正９】
【補正対象書類名】明細書
【補正対象項目名】００４４
【補正方法】変更
【補正の内容】
【００４４】
このとき、ペットがカバー部材１３０を蹴ったとしても、カバー部材１３０の重力下でカバー部材１３０と床面１１１の間で摩擦力が作用するので、カバー部材の動きを抑止してカバー部材１３０と床面１１１の間のずれを防止することができ、トイレ１１０全体の位置もずれない。
また、ペットの尿がトイレシート１２０のトップシート１２１上でカバー部材１３０の底面側において第２滑り止め部材１８１に向けて流れる場合にも、トップシート１２１上の尿の流れを第２滑り止め部材１８１が塞き止めることができる。
しかも、カバー部材１３０は、構成する第１の滑り止め部材１７１や、第２の滑り止め部材１８１、リブ１６４によって、カバー部材１３０と床面１１１の間のずれや、カバー部材１３０とトイレシート１２０との間のずれを防止する構成であり、全体としてきわめて簡易な構成である上、カバー部材１３０の高さに関わらず、比較的簡単に配設することができる。そのため、トイレ１１０全体としての高さを抑えることができ、犬等のペットがカバー部材１３０を跨いだり、踏んだりすることに対して、トイレの高さに起因する恐怖感を可及的に抑えて、できるだけ抵抗なくトイレシート１２０に移動させることが可能である。
【手続補正１０】
【補正対象書類名】図面
【補正対象項目名】図２
【補正方法】変更
【補正の内容】
【図２】
2016086713.tif 000001
【手続補正１１】
【補正対象書類名】図面
【補正対象項目名】図５
【補正方法】変更
【補正の内容】
【図５】
2016086713.tif 000002
【手続補正１２】
【補正対象書類名】図面
【補正対象項目名】図５Ａ
【補正方法】変更
【補正の内容】
【図５Ａ】
2016086713.tif 000003